(57)【特許請求の範囲】
【請求項１】
銃器に付属品を配置するためのデバイス（１）であって、前記デバイスは、前記付属品を内部に受け入れるための筐体（１０）を備え、前記筐体（１０）は前記銃器に取り付けることができ、
−  前記筐体（１０）は実質的にＬ字形の基本形を有し、
−  前記筐体（１０）は、前端壁（ＶＥ）と、前記前端壁（ＶＥ）から離間された後端壁（ＨＥ）とを有する第１の部分（１０ａ）を有し、前記筐体（１０）の前記第１の部分（１０ａ）には、略直方体形状の内部空間が形成されており、
−  前記筐体（１０）は、前記第１の部分（１０ａ）の前記後端壁（ＨＥ）において軸方向に突出する第２の部分（１０ｂ）を有し、前記筐体（１０）の前記第２の部分（１０ｂ）には、略直方体形状の内部空間が形成されており、
−  前記Ｌ字形の基本形の一方の脚が前記第１の部分（１０ａ）によって形成され、前記Ｌ字形の基本形の他方の脚が前記第２の部分（１０ｂ）によって形成され、前記２つの部分（１０ａ、１０ｂ）は互いに対して実質的に垂直に配置されて前記第２つの部分（１０ａ、１０ｂ）で前記Ｌ字形の内部空間が形成され、前記第１の部分（１０ａ）の前記後端壁（ＨＥ）は前記第２の部分（１０ｂ）の上側（Ｏ２）に対して実質的に垂直であり、
−  前記第２の部分（１０ｂ）は、前記筐体（１０）を前記銃器に締結するための２つの締結レール（１１ａ；１１ｂ）を前記上側（Ｏ２）に有する、デバイス。
【請求項２】
−  前記筐体（１０）の前記第２の部分（１０ｂ）は、前記筐体（１０）の長手方向軸（ＬＡ）と平行に延び、
−  前記２つの締結レールは、互いから離間されて前記筐体（１０）の前記長手方向軸（ＬＡ）と平行に延びており、前記２つの締結レール（１１ａ；１１ｂ）と、前記２つの締結レール（１１ａ；１１ｂ）の間で延びる前記第２の部分（１０ｂ）の前記上側（Ｏ２）とによって形成される内側輪郭（Ｉ）は、前記銃器の搭載レールの外側輪郭に実質的に対応し、前記筐体（１０）を前記銃器に解除可能に固定するために前記第２の部分（１０ｂ）を前記搭載レールと係合させることができる、請求項１に記載のデバイス。
【請求項３】
前記内側輪郭（Ｉ）は、前記銃器の銃身（５）の下側に設けられる搭載レールの外側輪郭に対応する、請求項２に記載のデバイス。
【請求項４】
前記第２の部分（１０ｂ）の前記上側（Ｏ２）を越えて突出する前記第１の部分（１０ａ）の一部（１０ｃ）の高さ（ｈ１）は、前記筐体（１０）が前記銃器に固定されている状態で、前記一部（１０ｃ）が、前記銃器の銃身（５）の前で軸方向に少なくとも部分的に配置され、前記銃身の仮想延長線中に少なくとも部分的に突出するように選択される、
請求項１から３のいずれか一項に記載のデバイス。
【請求項５】
前記付属品は、前記筐体（１０）内に配置される発光源、特にレーザー発光ダイオードを備え、前記第１の部分（１０ａ）の前記前端壁（ＶＥ）は、突出する前記一部（１０ｃ）の領域において第１の開口（２１）を有し、前記第１の開口（２１）を通じて、前記発光源の光ビーム、特にレーザー光ビームが前記筐体（１０）から出ることができる、請求項４に記載のデバイス。
【請求項６】
前記前端壁（ＶＥ）における前記第１の開口（２１）の位置は、前記開口（２１）が、前記デバイスの搭載状態において前記銃器の前記銃身（５）の前に位置付けられるように、および、前記第１の開口（２１）の中心と前記銃身（５）の内腔軸（ＳＡ）との間の距離（ｄ１）が最小となるように、好ましくは１５ｍｍより小さくなるように、特に好ましくは１２ｍｍより小さくなるように、より特に好ましくは９ｍｍより小さくなるように選択される、請求項５に記載のデバイス。
【請求項７】
前記付属品は、
−  戦術用ライト（５０）であって、前記戦術用ライトのための光源が前記筐体（１０）内に配置され、前記第１の部分（１０ａ）の前記前端壁（ＶＥ）は第２の開口（２２）を有し、前記第２の開口（２２）を通じて前記戦術用ライトのための前記光源の光が前記筐体から出ることができる、戦術用ライト（５０）を備え、ならびに／または、
−  撮像手段（６０）、特にビデオカメラまたはウェブカメラであって、前記撮像手段が前記筐体（１０）内に配置され、前記第１の部分（１０ａ）の前記前端壁（ＶＥ）は第３の開口（２３）を有し、前記第３の開口（２３）を通じて、外部からの光が前記撮像手段の光学部に到達できる、撮像手段（６０）を備え、ならびに／または、
−  通信インターフェース、携帯端末、特にスマートフォンおよび／もしくは移動網への通信接続を確立するように適合された無線通信インターフェースを備え、ならびに／または、
−  記録手段を備え、ならびに／または、
−  前記デバイス（１）の地理上の位置を決定するための手段、特にＧＰＳモジュールを備え、
エネルギー貯蔵器、好ましくは蓄電池が、前記筐体（１０）内の、好ましくは前記筐体（１０）の前記第２の部分（１０ｂ）に配置され、前記付属品に電気エネルギーを供給するために前記付属品に電気的に結合される、請求項１から６のいずれか一項に記載のデバイス。
【請求項８】
−  前記エネルギー貯蔵器は、無線で、好ましくは誘導により充電でき、および／または、
−  コネクタが、前記エネルギー貯蔵器を有線で充電するために、前記筐体（１０）に設けられる、請求項７に記載のデバイス。
【請求項９】
−  前記筐体内に配置される前記付属品の自動作動のための手段が、前記筐体（１０）内にまたは前記筐体（１０）に設けられ、自動作動のための前記手段は、
−  前記銃器のホルスタから前記銃器を引っ張ると作動され得るように前記ホルスタと協働する切り替え手段であって、前記付属品は、作動された前記切り替え手段によって作動される、切り替え手段、ならびに／または、
−  前記筐体（１０）の位置および／もしくは向きに応じて、前記付属品を作動および／もしくは作動停止するように適合された位置センサ
を備える、請求項１から８のいずれか一項に記載のデバイス。
【請求項１０】
前記筐体、または、前記第１の部分（１０ａ）および前記第２の部分（１０ｂ）は、一体品で形成される、請求項１から９のいずれか一項に記載のデバイス。
【請求項１１】
前記筐体を前記銃器に固定するために、固定手段（１２）が前記筐体（１０）の前記第２の部分（１０ｂ）に設けられる、請求項１から１０のいずれか一項に記載のデバイス。
【請求項１２】
前記固定手段（１２）は、前記銃器の搭載レールに設けられた凹所と係合させることができる、請求項１から１１のいずれか一項に記載のデバイス。
【請求項１３】
前記固定手段（１２）は、前記筐体（１０）の前記第２の部分（１０ｂ）において旋回軸（１４）の周りで旋回可能に配置され、固定位置から解除位置にされることが可能な固定ロッカー（１３）を備える、請求項１１または１２に記載のデバイス。
【請求項１４】
前記固定ロッカー（１３）は、前記筐体（１０）の長手方向軸（ＬＡ）と実質的に平行に位置合わせされ、前記デバイス（１）が前記銃器に搭載された状態において、前記デバイスを前記銃器に固定するために、前記銃器の引き金と係合させることができる、請求項１３に記載のデバイス。
【請求項１５】
バネ部材（１５）が前記固定手段（１２）に割り当てられ、前記バネ部材（１５）のバネ力は、前記固定手段を固定位置で保持し、前記固定手段は、前記バネ力に抗して解除位置にすることができる、請求項１１から１４のいずれか一項に記載のデバイス。
【請求項１６】
請求項１から１５のいずれか一項に記載のデバイス（１）が配置された、特には拳銃である銃器。
【請求項１７】
前記デバイス（１）は、前記銃器の銃身（５）の下に配置された搭載レールに固定されるかまたは固定されることが可能である、請求項１６に記載の銃器。
【発明の詳細な説明】
【技術分野】
【０００１】
本発明は、銃器、特には拳銃に、付属品を配置するためのデバイスに関する。
【背景技術】
【０００２】
「拳銃」という用語は、例えば、ブローバック動作される武器、または、ガス動作される武器といったピストル、銃などに関係する。本発明は、拳銃の例を用いて記載されるが、拳銃に限定されることはなく、長銃でも実施され得る。
【０００３】
銃器に付属品を搭載することや、付属品を銃器に取り付けることが知られている。例えば、戦術用ライト、レーザーサイト、またはカメラを、例えばピストルといった銃器に配置することが知られている。
【０００４】
戦術用ライトが配置された市販のピストルが図１に示されている。カメラが配置されたピストルは、例えば、特許文献１より知られている。図１に示したピストルに関して、戦術用ライト５０は、ピストルの銃身５の下側に配置されている。以下において、「銃身」とは、銃の前部全体を指すことが意図されており、つまり、実際の銃の銃身は、尾栓、および、武器の把持部品の前部と一緒に、銃身内腔を形成する。図１に示した戦術用ライトの代わりに、レーザーサイトが銃身５の下側に配置されてもよい。
【０００５】
しかしながら、先行技術より知られているこのようなシステムは、１つだけの付属品手段しか銃身の下側に配置できない点において不利である。例えば、戦術用ライトだけ、または、レーザーサイトだけしか、そこに配置できない。他の付属品手段を銃身の下側に固定するためには、始めに、すでにそこに取り付けられている付属品手段を取り外す必要がある。
【０００６】
さらに、レーザーサイトの取り付けに関して、レーザーサイトの光学中心軸が銃身内腔の内腔軸から比較的離れてしまうというさらなる欠点がある。２つの軸の間のこの距離が大きいことは、異なる射程での目標精度に悪影響を及ぼす。そのため、例えば特許文献２に記載されているように、目標物への距離に応じて、レーザーサイトの光学中心軸と銃身内腔の内腔軸との間に角度を設定できるようにするために、レーザーサイトの光学中心軸を調整可能に構成することが提供されている。
【０００７】
さらなる欠点は、例えば図１に見られるように、武器に配置された戦術用ライトまたはレーザーサイトは多くの場合に銃身の前端を越えて突出するため、密接しての発砲が大抵は可能ではないことである。
【０００８】
特許文献１に示されているような、銃身の下側に配置されたカメラについては、カメラの光学軸と銃身内腔の軸との間の角度が無関係である。ここでは、カメラが前に向けられていることだけが重要である。
【０００９】
特許文献３からも、戦術用ライトが配置された銃器が知られている。戦術用ライトは、銃身の下側に固定された筐体内に収容される。さらに、レーザー構成物が筐体内に収容される。筐体全体が、戦術用ライトもレーザー構成物も銃身の下に完全に配置されるように、銃身の下に配置される。
【００１０】
特許文献２から、武器の銃身に固定され得る筐体内に収容されるカメラレーザーシステムが知られている。カメラおよびレーザーは、ここでは、射撃者が目標をレーザーによって狙うことができるように銃身の上に配置される。しかしながら、ここでは、カメラとレーザーとが銃身の中心軸から比較的離れるため、カメラと銃身との間の距離は、レーザーを正しく調整できるようにするために常に考慮される必要がある。
【００１１】
特許文献４から、武器に取り付けできるいわゆる「ストライクプレート」が知られている。「ストライクプレート」は、武器の銃身および／またはスライドが、銃弾を発射した後に次の発砲に向けた使用のために武器の準備が再び整う開始位置に戻ることを確保すべきである。「ストライクプレート」は、武器の搭載レールに固定され、武器の銃身を越えて延びており、同心の孔が、発射された銃弾が通過できる銃身の前の位置に設けられる。「ストライクプレート」の下側には、さらなる付属品が配置され得るさらなる搭載レールが設けられる。
【００１２】
特許文献５から、武器の銃身の下側に固定可能な照明システムが知られている。これは、特許文献３から知られているシステムに実質的に相当する。ここでもまた、照明システムの光学軸が銃身内腔の中心軸から比較的離れており、そのため、照明システムにおいてレーザーサイトを用いるときに、レーザーの角度がやはり目標への距離に応じて設定される必要がある。
【００１３】
特許文献３から知られているシステムと同様のシステムが、特許文献６から知られている。ここでは、レーザーライトを備え得るシステムが、銃身の下側に取り付けられ、レーザー光の光学軸が銃身の搭載レールの下に配置される。これにより生じる銃身内腔の中心軸とレーザー光の光学軸との間の大きな距離のために、ここでも必要な場合にはレーザー光の角度が設定される必要がある。
【先行技術文献】
【特許文献】
【００１４】
【特許文献１】米国特許出願公開第２０１１／００３５９８４（Ａ１）号
【特許文献２】米国特許出願公開第２０１２／０１８０３６６（Ａ１）号
【特許文献３】米国特許第７，７２６，０６１（Ｂ１）号
【特許文献４】米国特許第７，５７８，０９０（Ｂ１）号
【特許文献５】米国特許出願公開第２０１２／０１２４８８５（Ａ１）号
【特許文献６】米国特許出願公開第２００８／０１２０８９１（Ａ１）号
【発明の概要】
【発明が解決しようとする課題】
【００１５】
そのため、前述した先行技術から知られている欠点を少なくとも部分的に回避すると共に、一方で、武器に異なる付属品手段を同時に固定することを可能にし、他方で、異なる射程においても精度の向上を確保する、付属品を銃器に配置するためのデバイスを提供することが本発明の目的である。
【課題を解決するための手段】
【００１６】
この目的は、独立請求項による、銃器に付属品を配置するためのデバイスによって、本発明に従って解決される。本発明の好ましい実施形態およびさらなる展開が、従属請求項に明記されている。
【００１７】
したがって、特には拳銃である銃器に付属品を配置するためのデバイスが提供され、このデバイスは、付属品を内部に受け入れるための筐体を備え、筐体は銃器に締結することができ、
−  筐体はＬ字形の基本形を実質的に有し、
−  筐体は、前端壁と、前端壁から離間された後端壁とを伴う第１の部分を有し、
−  筐体は、第１の部分の後端壁において軸方向に突出する第２の部分を有し、
−  Ｌ字形の基本形の一方の脚が第１の部分によって形成され、Ｌ字形の基本形の他方の脚が第２の部分によって形成され、２つの部分は互いに対して実質的に垂直に配置され、第１の部分の後端壁は第２の部分の上側に対して実質的に垂直であり、
−  第２の部分は、筐体を銃器に締結するための締結デバイスを備える。
【００１８】
第２の部分が第１の部分の後端壁において軸方向に突出するため、デバイスは、第１の部分が下から武器の内腔軸へと移動されるように、第２の部分で武器に固定され得る。それによって、筐体内に受け入れられるレーザーサイトも、武器の内腔軸により近づけられ得る。それによって、レーザーサイトのより高い精度が、異なる射程において確保される。具体的には、レーザーサイトの光学軸と武器の内腔軸との間に角度を設定する必要がもはやなく、これは、レーザーサイトを内腔軸へと移動することで、ここから生じる精度に関する逸脱が無視できるほど両方の軸が互いと近くに位置するためである。
【００１９】
−  筐体の第２の部分が、筐体の長手方向軸と平行に延び、
−  締結デバイスが、第２の部分の上側において形成され、互いから離間されて筐体の長手方向軸と平行に延びる２つの締結レールを備え、締結レールと、２つの締結レールの間で延びる第２の部分の上側とによって形成される内側輪郭が、筐体を銃器に好ましくは解除可能に固定するために第２の部分を搭載レールと係合させることができるようにするために、銃器の搭載レールの外側輪郭に実質的に対応する場合、有利である。
【００２０】
有利には、内側輪郭は、銃器の銃身の下側に設けられる搭載レールの外側輪郭に対応する。
【００２１】
本発明の好ましい実施形態によれば、
−  第１の部分の後端壁は、第２の部分の上側に対して実質的に垂直に配置され、および／または、
−  第２の部分の上側を越えて突出する第１の部分の一部の高さは、この一部が、筐体の固定状態で、銃器の銃身の前で少なくとも部分的に軸方向に銃器において配置され、銃身の仮想延長線中に少なくとも部分的に突出するように選択される。
【００２２】
それによって、筐体の第１の部分は、内腔軸とレーザーサイトの光学軸との間の距離がなおもさらに低減され、それによってレーザーサイトの精度が異なる射程に対してなおもさらに向上され得るように、銃身の内腔軸にさらにより近くにすることができる。
【００２３】
付属品が、筐体内に配置されている、特にはレーザー発光ダイオードである発光源を備え、第１の部分の前端壁は、第１の部分の突出する一部の領域において第１の開口を有し、第１の開口を通じて、発光源の特にはレーザー光ビームである光ビームが、筐体から出ることができる場合、有利である。これによって、発光源が筐体の第１の部分にも配置される場合、有利である。しかしながら、発光源は筐体の第２の部分に配置されてもよく、その場合に光ビームは、例えば鏡手段を介して、第１の開口へと偏向される。
【００２４】
前端壁における第１の開口の位置は、第１の開口の中心と銃身の内腔軸との間の距離が、最小となるように、好ましくは１５ｍｍより小さくなるように、特に好ましくは１２ｍｍより小さくなるように、より特に好ましくは９ｍｍより小さくなるように選択される場合、好ましい。
【００２５】
本発明のさらなる実施形態によれば、発砲通路が筐体の第１の部分に形成でき、発砲通路は銃身の銃身内腔に対して同心で延び、第１の開口は発砲通路の下に配置される。
【００２６】
それによって、付属品が銃器に配置されている状態でも、密接しての発砲が可能である。
【００２７】
本発明の実施形態によれば、付属品は、
−  戦術用ライトであって、戦術用ライトのための光源が筐体内に配置され、第１の部分の前端壁は第２の開口を有し、第２の開口を通じて、戦術用ライトのための光源の光が筐体から出ることができる、戦術用ライトを備え、ならびに／または、
−  特にはビデオカメラまたはウェブカメラである撮像手段であって、撮像手段が筐体内に配置され、第１の部分の前端壁は第３の開口を有し、第３の開口を通じて、外部からの光が撮像手段の光学部に到達できる、撮像手段を備え、ならびに／または、
−  通信インターフェース、具体的には、特にはスマートフォンである携帯端末および／もしくは移動網への通信接続を確立するように適合された無線通信インターフェースを備え、ならびに／または、
−  記録手段を備え、ならびに／または、
−  特にはＧＰＳモジュールである、デバイスの地理上の位置を決定するための手段を備え、
好ましくは蓄電池であるエネルギー貯蔵器が、筐体内の、好ましくは筐体の第２の部分に配置され、付属品に電気エネルギーを供給するために付属品に電気的に結合される。
【００２８】
筐体の第２の部分、つまり、搭載状態において銃の銃身の下に配置される筐体の部分に、蓄電池を配置することで、重量分配の向上が達成される。
【００２９】
本発明の実施形態によれば、エネルギー貯蔵器は、無線であり、好ましくは誘導により充電可能であり、および／または、コネクタが、エネルギー貯蔵器を有線で充電するために、筐体に設けられ得る。
【００３０】
本発明の好ましい実施形態によれば、筐体内に配置される付属品を自動的に作動するための手段が、筐体内にまたは筺体に設けられてもよく、自動作動のための手段は、
−  銃器のホルスタから銃器を引っ張ると作動され得るようにホルスタと協働する切り替え手段であって、付属品は、作動された切り替え手段によって作動される、切り替え手段、ならびに／または、
−  筐体の位置および／もしくは向きに応じて、付属品を作動および／もしくは作動停止するように適合された位置センサ
を備える。
【００３１】
筐体の第１の部分および第２の部分、または、筐体が一体品で形成され、したがって、第１の部分と第２の部分とが一体品の筐体を形成する場合、特に有利である。
【００３２】
さらに、取り付け後に筐体を武器に固定するために、固定手段が筐体の第２の部分に設けられる場合、有利である。
【００３３】
固定手段は、少なくとも固定ピンまたは固定ロッカーを備え得る。固定手段は、旋回軸の周りで旋回可能に支持される。バネ部材が固定ピンまたは固定ロッカーに割り当てられ、バネ力が、固定ロッカーを固定位置にする、または、固定ロッカーを固定位置で保持する。固定ピンまたは固定ロッカーは、バネ力に抗して解除位置へとさせることができ、解除位置では、筐体を銃器の搭載レールから取り外すことができる。
【００３４】
本発明の実施形態によれば、固定ロッカーは、筐体の長手方向軸と実質的に平行に位置合わせでき、武器へのデバイスの搭載状態においてデバイスを武器に固定するために、武器の引き金と係合させることができる。
【００３５】
本発明のさらなる実施形態によれば、搭載レールが、なおもさらなる付属品を筐体に取り付けるために、筐体の下側に設けられてもよい。筐体の下側に、または、筐体の下側に配置された搭載レールに、筐体内に配置される蓄電池に電気的に結合される電気接点が提供されてもよい。それによって、筐体の搭載レールに配置されたさらなる付属品には、筐体内に配置される蓄電池から電気エネルギーが供給できる。
【００３６】
筐体の第１の部分の外側輪郭が武器の銃身の外側輪郭に合わせて適合される場合、特に有利である。それによって、筐体が搭載されている状態であっても、武器の後側、前側、および縁側が、さらに利用できる。
【００３７】
前端壁は、カバー板によって、または桶形のカバーによって形成され得る。本発明の実施形態によれば、このカバーは、筐体に解除可能に配置され得る。前述した開口は、このカバーに形成されてもよい。
【００３８】
カバー板またはカバー桶は、硬化鋼またはセラミックなど、特に硬い材料から少なくとも部分的に作られる。それによって、筐体は、搭載状態では、例えば特に車両の窓ガラスなどのガラスを打ち砕くために、打撃手段として使用できる。
【００３９】
任意に構成され得る心棒が、前端壁に、またはカバー板に、配置されてもよい。本発明の実施形態によれば、心棒およびカバー板は一体品から形成されてもよい。心棒も、硬化鋼またはセラミックなどの特に硬い材料から作られる場合、有利である。好ましくは、心棒は軸方向に鋭角で収束する。
【００４０】
本発明の実施形態によれば、心棒は、前端壁に、またはカバー板に、解除可能に配置され得る。代替の実施形態によれば、心棒は、使用しないときに折り畳まれ得るように、前端壁に、またはカバー板に旋回可能に配置され得る。
【００４１】
さらに、本発明による銃器に付属品を配置するためのデバイスを備える特には拳銃である銃器が、本発明により提供される。
【００４２】
さらに、特には拳銃である銃器を収納するためのホルスタが提供され、そのホルスタは、本発明による銃器に付属品を配置するためのデバイスが取り付けられた銃器を収納するように適合され、ホルスタから銃器を引っ張ると作動され得るように、本発明によるデバイスに設けられた切り替え手段と協働するように適合される。
【００４３】
本発明の詳細および特徴は、図面と関連して以下の記載から導き出され得る。
【図面の簡単な説明】
【００４４】
【図１】先行技術による、戦術用ライトが配置された拳銃を示す図である。
【図２】本発明によるデバイスが配置された拳銃の前端を示す図である。
【図３】本発明による、付属品を銃器に配置するためのデバイスの斜視図である。
【図４】本発明によるデバイスの側面図、前面図、および後面図である。
【図５】本発明によるデバイスの斜め下からの斜視図である。
【図６】本発明によるデバイスの断面の斜視図である。
【図７】筐体の第２の部分の輪郭の詳細図を伴う、本発明によるデバイスの斜視図である。
【図８】固定手段の実施形態の図である。
【図９】固定手段の代替の実施形態である。
【発明を実施するための形態】
【００４５】
以下に記載されている本発明による付属品を銃器に配置するためのデバイスは、いくつかの付属品が武器に同時に固定できるという利点を有している。さらなる利点は、デバイスの筐体の発明の構成と、デバイスの筐体内でのレーザーサイトの発明の配置とが、異なる射程におけるレーザーサイトの精度を実質的に向上させることである。本発明によるデバイスが、特に簡単な安全で迅速な手法で、固定され得る、または、搭載および搭載解除され得ることは、さらなる利点である。さらに、銃器の追加的な適用領域が本発明によるデバイスによって開かれ、武器は、異なる適用シナリオそれぞれについて、そのために付属品手段を取り替える必要なく使用できる。
【００４６】
図２は、本発明による付属品を銃器に配置するためのデバイスを示し、このデバイスは銃器の銃身に固定される。図２では、武器の銃身５の前部だけが示されており、ここで、「銃身」という用語は、銃身内腔６に加えて尾栓と把持部品の前部とを形成する銃身を意味する。
【００４７】
デバイスは、第１の部分１０ａと第２の部分１０ｂとを有する筐体１０を備えている。筐体は実質的にＬ字形の基本形を有し、Ｌ字形の基本形の一方の脚は第１の部分１０ａによって形成され、他方の脚は筐体の第２の部分１０ｂによって形成されている。それによって、両方の部分１０ａ、１０ｂは互いに対して垂直に配置されており、実質的な直角が２つの区域１０ａ、１０ｂによって形成されている。
【００４８】
筐体１０の第２の部分１０ｂは、筐体を銃身５に固定するために、締結手段を備えている。好ましくは、締結手段は、銃身５の下側に設けられた搭載レールに筐体を固定できるように構成される。武器へのデバイスの搭載は、有利には、筐体１０を銃身５の搭載レールに嵌めることから生じる。
【００４９】
筐体１０のＬ字形の構成のおかげで、搭載後、筐体１０の第１の部分１０ａは銃身５の前で軸方向に配置され、つまり、第２の部分１０ｂにおいて上向きに突出する第１の部分１０ａの一部は、銃身５の前で軸方向に位置付けられ、銃身の仮想延長線中に突出する。それによって、レーザーサイトの光が筐体１０から通って出ていくことができる第１の開口２１も、武器への筐体１０の取り付けの後に銃身のすぐ前に位置付けられるように、筐体１０の第１の部分１０ａに、銃身５の前で軸方向に設けることできる。これに対して、先行技術によれば、レーザーサイトのための出口開口は常に銃身の下に配置される。筐体１０の発明の構成と、筐体１０の第１の部分１０ａにおける第１の開口２１の発明の配置とによって、銃身内腔６の内腔軸ＳＡとレーザーサイトの光学中心軸ＯＡとの間の距離ｄ１は最小とされ得る。そのため、レーザーサイトの光学軸ＯＡは、銃身内腔６の内腔軸ＳＡの近くに移動され得る。
【００５０】
それによって、２つの軸ＳＡ、ＯＡの間の距離ｄ１は、先行技術による従来の７０ｍｍから、おおよそ１５ｍｍまで、好ましくは約１２ｍｍまで、特に好ましくは約８ｍｍ以下まで、縮小され得る。したがって、レーザーサイトの精度は、異なる射程において実質的に向上され得る。
【００５１】
図２で見られるように、筐体１０の第１の部分１０ａの高さは、第２の部分１０ｂを越えて上向きに突出する第１の部分１０ａの一部が、武器の銃口の前で軸方向に配置されるように、つまり、銃身の仮想延長線中に突出するように選択される。これは、武器の銃身内腔６に対して同軸に延びる発砲通路３０が筐体１０の第１の部分１０ａに形成されるため、可能である。ここで、発砲通路は、銃弾のための貫通孔を形成するだけである。それによって、密接しての発砲も、筐体１０内に収容された付属品手段が発砲に影響を与えることなく、武器に搭載されている本発明によるデバイスを用いて可能である。
【００５２】
筐体１０の第１の部分１０ａおよび第２の部分１０ｂは、一体品として形成されており、これは、２つの部分１０ａ、１０ｂが一体品の筐体１０を一緒に形成していることを意味する。例えば検査および／または保守の目的のために、筐体１０の内部へのアクセスが望まれる限り、閉じることが可能な保守開口が筐体１０に設けられてもよい。
【００５３】
図３は、本発明によるデバイス１を斜め上からの斜視図で示している。
【００５４】
ここでは、第１の区域１０ａの上側Ｏ１と第２の区域１０ｂの上側Ｏ２とが詳細に示され得る。
【００５５】
第２の部分１０ｂは上側Ｏ２に締結手段を有し、締結手段は、ここでは、第１の締結レール１１ａおよび第２の締結レール１１ｂとして形成されている。締結レール１１ａ、１１ｂは、武器の搭載レールの外側輪郭に対応することで、筐体１０を武器の搭載レールへと押し込むことができるように構成されている。
【００５６】
筐体１０の第２の部分１０ｂは、武器の搭載レールへと押し込まれた筐体１０が、武器からの筐体の不用意な解除を防止するために、武器において固定され得るのに用いられる固定手段１２を備え得る。固定手段の本発明による実施形態は、図８を参照して記載されている。
【００５７】
筐体の第１の区域１０ａは前端壁ＶＥと後端壁ＨＥとを有し、ここで示した本発明のデバイスの実施形態については、これらの２つの端壁は、実質的に互いに対して垂直に配置されている。しかしながら、後端壁ＨＥに対して特定の角度で傾斜される前端壁ＶＥを提供することも可能である。
【００５８】
前端壁ＶＥは、カバー板によって、または桶形のカバー９０によって形成され得る。カバーは、硬化鋼またはセラミックのような特に硬い材料から作られ、例えば車両の窓ガラスなどのガラスを打ち砕くために使用されてもよい。
【００５９】
また、心棒が、前端壁ＶＥに、またはカバー９０に配置されてもよく、特に硬い材料から作られてもよい。心棒は、異なる形または任意の形を有し得る。好ましくは、心棒は、筐体に対して軸方向において鋭角に収束する。
【００６０】
筐体１０の第２の部分１０ｂは、第２の部分１０ｂの上側Ｏ２と第１の部分１０ａの後端壁ＨＥとが互いに対して実質的に垂直となるように、筐体１０の第１の部分１０ａの後端壁ＨＥに対して直角に配置されている。発砲通路３０の入口開口が、第１の部分１０ａの後端壁ＨＥに設けられている。反対の端壁ＶＥには、発砲通路３０の対応する出口開口が設けられており、発砲通路３０は、実質的に銃器の銃身内腔の直径を有しており、銃器の銃身内腔に対して同軸に延びている。
【００６１】
第２の部分１０ｂの上側Ｏ２を越えて突出する第１の部分１０ａの一部１０ｃの高さｈ１は、第１の部分１０ａの表面Ｏ１が、デバイス１の搭載状態において、実質的に銃身の上方の縁または武器の尾栓まで延びるように選択される。好ましくは、第２の部分１０ｂの上側Ｏ２を越えて突出する第１の部分１０ａの一部１０ｃの外側輪郭は、銃身の外側輪郭または武器の尾栓に対応するように選択される。したがって、武器の後側、前側、および縁側が、さらに使用でき、筐体の輪郭に適合される必要はない。
【００６２】
図４は、（ａ）の図に本発明によるデバイスを前面図で示し、（ｂ）の図に本発明によるデバイスを側面図で示し、（ｃ）の図に本発明によるデバイスを後面図で示している。
【００６３】
ここでは、第１の区域１０ａに、または筐体１０の前端壁ＶＥに設けられたさらなる開口２２、２３が見て取れ、第２の開口２２は、戦術用ライトのための出口開口であり、第３の開口２３は、筐体１０内に配置された撮像手段のための開口であり、第３の開口２３を通じて、光が撮像手段の光学要素に到達できる。
【００６４】
また、図４では、レーザーサイトの開口２１の中心と銃身の内腔軸との間の距離ｄ１が示されている。図４で見て取れるように、レーザーサイトのための開口２１は、距離ｄ１をなおもさらに縮小するために、さらに上向きに移動され得る。具体的には、銃身内腔と開口２１との間の距離がおおよそゼロになるまで開口２１を上向きに遠くに移動することが可能である。
【００６５】
図４では、筐体１０の実質的にＬ字形の基本形も特によく見て取れる。
【００６６】
筐体１０の固定手段１２および第２の部分１０ｂは、武器における筐体の固定を解除するように下向きに押され得る、または、移動され得るように構成されている。
【００６７】
図５は、本発明によるデバイスを斜め下からの斜視図で示している。この図では、筐体１０の下側Ｕに設けられた搭載レール７０が見える。搭載レールは、さらなる付属品を筐体１０の下側Ｕに固定するために使用され得る。例えば、ビデオカメラが筐体１０内に設けられていない限り、ビデオカメラが筐体１０の下側に固定されてもよい。
【００６８】
電気接点が、筐体１０の下側Ｕに、または、搭載レール７０に設けられてもよく、筐体１０内に収容される蓄電池に電気的に接続される。搭載レール７０に取り付けられるさらなる付属品の電気接点に対応するこれらの電気接点を介して、さらなる付属品の電気的な構成部品に電気エネルギーが供給されてもよく、そのため、さらなる電気的な付属品においてそれ自体の電力供給部が設けられる必要はなく、したがってさらなる付属品の重量を低減する。
【００６９】
レーザーサイトに加えて、特には無線通信インターフェースである通信インターフェースが、さらなる付属品として筐体１０内に設けられてもよい。この通信インターフェースは、射撃者のスマートフォンへの、または移動網への通信接続を確立するように適合され得る。それによって、電気的な構成部品（付属品）と携帯端末（例えば、スマートフォン）との間のデータ伝送が実行できる。このデータ伝送を用いて、制御信号または制御命令も、例えば特定の付属品手段を遠隔から制御するために、端末から筐体１０内の付属品手段へと伝送できる。
【００７０】
筐体１０の下側Ｕに、または搭載レール７０に設けられた電気接点は、搭載レール７０に固定された付属品手段と筐体１０との間のデータ伝送のために使用されてもよい。したがって、通信インターフェースとの組み合わせで、搭載レール７０に配置された付属品手段から提供されるデータが遠隔の端末へと伝送され得、または、例えば制御データといったデータが遠隔の端末からこの付属品手段へと伝送され得る。
【００７１】
図５に示した搭載レール７０は、筐体１０の第２の部分１０ｂの下側だけに設けられている。代替または追加で、搭載レールは、筐体１０の第１の部分１０ａの下側に設けられてもよい。
【００７２】
図６は、本発明によるデバイスの長手方向の断面を斜視図で示している。
【００７３】
第１の区域１０ａには、例えばビデオカメラまたはウェブカメラといった撮像手段６０が配置され得る。撮像手段６０は、例えば生の画像を遠隔の端末へと伝送するために、前述した通信インターフェースに結合され得る。撮像手段６０に加えて、画像データと共に音声データを遠隔の端末へと伝送することも可能にするために、記録手段も設けられ得る。したがって、武器の使用を第３者によって監視させることができ、危機的な状況がリアルタイムで分析および評価でき、対応する対策が必要により取られ得る。伝送された画像および音声データは、さらに、文書作成の目的のために記録されてもよい。画像および音声データを記録するために、記憶手段が筐体１０内に設けられてもよく、これは、通信接続が外部または遠隔の装置へと確立できない場合に有利である。
【００７４】
さらに、戦術用ライトが筐体の第１の部分１０ａに設けられてもよく、戦術用ライトは射撃領域を照らすために使用され得る。
【００７５】
レーザーサイトの発光レーザーダイオードが、開口２１のすぐ後ろに配置されてもよい。代替で、レーザーダイオードは、筐体１０内の別の位置に配置されてもよく、レーザーダイオードの光は、例えば偏向鏡を介して、開口２１へと偏向されてもよい。
【００７６】
さらに、筐体１０の地理上の位置を決定するための手段が筐体１０内に設けられてもよい。好ましくは、ＧＰＳモジュールがこのために提供される。ＧＰＳモジュールによって決定された位置データが、画像および音声データと共に、通信インターフェースを介して外部端末へと伝送され得る。
【００７７】
さらに、位置または運動センサが筐体１０内に配置されてもよい。位置または運動センサは、筐体１０内に配置された付属品手段を作動または作動停止するために設けられ得る。例えば、筐体１０の長手方向軸ＬＡが特定の角度範囲内で水平に対して傾斜される場合、付属品手段だけを作動させるために提供されてもよい。したがって、例えば、付属品は、武器が下方に地面の方へまたは空の方へ向けられる場合に作動停止されてもよく、付属品手段は、武器が前へと実質的に水平に向けられる場合に作動されてもよい。それによって、付属品手段の動作のためのエネルギーが節約できる。本発明の実施形態によれば、選択された付属品手段だけが、位置または運動のセンサを用いて作動または作動停止させることができ、他の付属品手段は手動で作動または作動停止される必要があるように提供されてもよい。
【００７８】
特定またはすべての付属品手段を作動または作動停止するために、ここでは示されない銃器のホルスタと協働する切り替え手段が、筐体１０内に設けられてもよい。切り替え手段およびホルスタは、ホルスタから銃器を引っ張ると切り替え手段が作動され、さらに、選択された付属品手段またはすべての付属品手段を作動できるように構成され得る。銃器をホルスタへと挿入すると、スイッチは作動停止される。
【００７９】
さらに、特には蓄電池８０であるエネルギー供給部が筐体１０内に設けられてもよく、エネルギー供給部は、好ましくは、筐体１０の第２の部分１０ｂに配置される。それによって、本発明によるデバイスの最適な重量分配が達成される。好ましくは、エネルギー貯蔵器または蓄電池８０は、好ましくは誘導などの無線で充電できる。代替の実施形態によれば、エネルギー貯蔵器を有線で充電できるようにするために、コネクタが筐体に設けられ得る。
【００８０】
図７は、本発明によるデバイスを斜視図で示しており、第２の部分１０ｂは断面で示されている。
【００８１】
第１の締結レール１１ａによって、第２の締結レール１１ｂによって、および、２つの締結レール１１ａ、１１ｂの間で延びる筐体１０の第２の部分１０ｂの上側Ｏ２によって形成された内側輪郭は、実質的にＵ字形に形成されており、銃器の搭載レールの外側輪郭に適合されている。２つの締結レール１１ａ、１１ｂは、長手方向に延びる凹所または溝を備えており、その凹所または溝を用いて、武器の搭載レールに設けられている突起を係合させることができる。したがって、筐体１０は、前から武器の搭載レールに嵌め込みでき、必要であれば、武器における固定手段１２を用いて固定され得る。
【００８２】
図８は、固定手段の実施形態を断面で示している。固定手段は、ここでは、固定ピンまたは固定ロッカー１３を備えており、固定ピンまたは固定ロッカー１３は、ここでは、第１の締結レール１１ａに設けられている。さらなる固定ピン、または、さらなる固定ロッカー１３が、第２の締結レール１１ｂに設けられてもよい。いくつかの固定ピンまたは固定ロッカー１３が、２つの締結レール１１ａ、１１ｂにそれぞれ設けられてもよい。固定ロッカー１３は、旋回軸または回転軸１４の周りで旋回可能に支持される。さらに、バネ部材１５が固定ピンまたは固定ロッカー１３に割り当てられており、バネ力が、固定ロッカー１３を固定位置にする、または、固定ロッカーを固定位置で保持する。固定ピンまたは固定ロッカーは、バネ力に抗して解除位置へとさせることができ（押圧力Ｆによって図示されるように、押すことによって）、解除位置では、筐体は銃器の搭載レールから引き抜くことができる。
【００８３】
固定位置では、ロッカー１３の端が、締結レール１１ａの内側の側壁から突出し、銃器の搭載レールにおいて凹所と係合する。凹所は、搭載レールに対して斜めに延びる、互いから離間され、互いと平行な棒材によって形成された隙間によって形成できる。
【００８４】
図８では、ロッカー１３は、筐体１０の長手方向軸ＬＡに対して垂直に位置合わせされている。代替で、ロッカー１３は、図９に示しているように、筐体１０の長手方向軸と平行で位置合わせされてもよい。
【００８５】
図９は、デバイス１の固定手段１２の代替の実施形態を示しており、固定手段１２は、武器に配置されるか、または武器に締結され、（ａ）の図では固定手段は固定位置にあり、（ｂ）の図では固定手段は解除位置にあり、（ｃ）の図では固定手段は側面図で示されている。
【００８６】
固定手段１２は、ここでは少なくとも１つの固定ロッカー１３から成り、その固定ロッカー１３は、筐体１０の長手方向軸ＬＡと実質的に平行に配置される。固定ロッカー１３は、ここでは、固定位置（（ａ）の図に示されている）から解除位置（（ｂ）の図に示されている）にすることができるように、筐体１０において、つまり、筐体１０の第２の部分１０ｂにおいて、旋回軸１４の周りで旋回可能に支持される。解除位置では、デバイス１は武器から取り外すことができる。
【００８７】
固定ロッカー１３は、筐体部分１０ｂの後端１６に配置されており、つまり、固定ロッカー１３の一部が筐体部分１０ｂの後端１６を越えて突出するように配置されている。筐体部分１０ｂの後端１６を越えて突出する部分を用いて、デバイス１は、この部分を武器の引き金７と係合させることができることによって武器に固定される。筐体部分１０ｂの後端１６を越えて突出する部分に、ピン１７が設けられており、ピン１７は、固定状態において引き金７と係合することで、武器からのデバイス１の自発的な解除または非故意の解除を防止する。
【００８８】
引き金７に向かい合うピン１７の側は、内向きに下へと傾斜する面１７ａを備えている。これは、面１７ａと固定ロッカー１３の長手方向軸ＬＡ２とによって含まれる角度αが、９０°より小さく、好ましくは７５°より小さく、特に好ましくは約４０°であることを意味する。それによって、傾斜された面１７ａは、武器の搭載レールにデバイスを嵌め込む間、引き金７に当接する。そして、引き金７は固定ロッカー１３を外へと押し、面１７ａは引き金７を越えて滑る。デバイスを武器の搭載レールに完全に嵌め込んだ後、筐体部分１０ｂの後端１６を越えて突出する固定ロッカー１３の一部は、再び内向きに傾斜する。そして、固定ロッカー１３は固定位置になる。内向きへの傾斜は、固定ロッカー１３に割り当てられるバネ部材によってもたらされてもよい。
【００８９】
固定ロッカー１３を解除位置にするには、筐体部分１０ｂの後端を越えて突出していない部分だけを、内向きに押す必要がある。そのため、筐体部分１０ｂの後端を越えて突出する部分は、ピン１７が引き金７ともはや係合しないように、旋回軸１４の周りで外向きに旋回される。そして、デバイス１は単に武器から引き抜くことができる。
【００９０】
図７および図８に示した実施形態と比較して、図９に関連して示した固定手段１２の実施形態は、固定手段１２が固定位置にある間、筐体１０を越えて横に突出する固定手段の部分が存在しないという利点を有している。
【符号の説明】
【００９１】
１  銃器に付属品を配置するためのデバイス
５  武器の銃身（尾栓を含む）
６  銃身内腔
７  引き金
１０  デバイス１の筐体
１０ａ  筐体１０の第１の部分
１０ｂ  筐体１０の第２の部分
１０ｃ  第２の部分１０ｂの上側Ｏ２を越えて突出する第１の部分１０ａの一部
１１ａ  締結手段の第１の締結レール
１１ｂ  締結手段の第２の締結レール
１２  締結手段の固定手段
１３  締結手段１２の固定ピンまたは固定ロッカー
１４  固定ロッカー１３の回転または旋回の軸
１５  固定手段１２のバネ部材
１６  筐体１０の第２の部分１０ｂの後端
１７  ピン
１７ａ  ピン１７の傾斜された面
２１  レーザーサイトの（第１の）開口
２２  戦術用ライトの（第２の）開口
２３  撮像手段６０の（第３の）開口
３０  筐体１０内、または、筐体１０の第１の部分１０ａにおける発砲通路
５０  戦術用ライト
６０  例えばビデオカメラ／ウェブカムといった撮像手段
７０  筐体１０の下側Ｕにおける搭載レール
８０  例えば蓄電池といったエネルギー貯蔵器
９０  前端壁ＶＥにおけるカバー板
ｄ１  開口２１の中心と銃身５の内腔軸ＳＡとの間の距離
Ｆ  押圧力Ｆ
ｈ１  突出する一部１０ｃの高さ
ＨＥ  第１の部分１０ａの後端壁
Ｉ  内側輪郭
ＬＡ  デバイス１または筐体１０の長手方向軸
ＬＡ２  固定ロッカー１３の長手方向軸
ＯＡ  レーザーサイトの（光学）中心軸
Ｏ１  第１の部分１０ａの上側
Ｏ２  第２の部分１０ｂの上側
ＳＡ  銃身５の内腔軸
ＶＡ  第１の部分１０ａの前端壁
Ｕ  筐体１０の下側
α  長手方向軸ＬＡ２と傾斜した面１７ａとの間の角度
【図１】
0006730328.tif 000002
【図２】
0006730328.tif 000003
【図３】
0006730328.tif 000004
【図４】
0006730328.tif 000005
【図５】
0006730328.tif 000006
【図６】
0006730328.tif 000007
【図７】
0006730328.tif 000008
【図８】
0006730328.tif 000009
【図９（ａ）】
0006730328.tif 000010
【図９（ｂ）】
0006730328.tif 000011
【図９（ｃ）】
0006730328.tif 000012